(57)【要約】      （修正有）【課題】ユーザーが必要とする通知情報を容易に探して確認できるようにする。【解決手段】生化学分析装置が備える表示グループ選択部３１ａは、ユーザー操作に基づき、通知情報を性質別に分類するための表示グループを選択する。一覧表示制御部３１ｂは、表示グループ選択部３１ａによって選択された表示グループに紐付けられた通知情報リストに従って通知情報記憶部３２ｂから通知情報を抽出し、抽出した通知情報を表示部に一覧表示するように制御する。【選択図】図３
2017125721.tif 000002
【特許請求の範囲】
【請求項１】
表示部と、
自装置で発生した通知情報を記憶する通知情報記憶部と、
前記通知情報を性質別に分類するための表示グループに紐付けられた通知情報リストを記憶する通知情報リスト記憶部と、
前記表示グループを選択する表示グループ選択部と、
前記表示グループ選択部によって選択された前記表示グループに紐付けられた前記通知情報リストに従って前記通知情報記憶部から前記通知情報を抽出し、抽出した前記通知情報を前記表示部に一覧表示するように制御する一覧表示制御部と、を備える
自動分析装置。
【請求項２】
前記表示部は、前記表示グループを選択するための表示グループ選択領域と、前記通知情報を一覧表示する通知情報一覧表示領域とを含む通知情報一覧表示画面を表示し、
前記一覧表示制御部は、前記表示グループ選択領域に含まれ、前記表示グループを選択するための選択ボタンが選択された場合に、前記選択ボタンに対応する前記表示グループに紐付けられた前記通知情報リストに従って抽出した前記通知情報を前記通知情報一覧表示領域に一覧表示する
請求項１に記載の自動分析装置。
【請求項３】
さらに、前記通知情報リスト記憶部に記憶された前記選択ボタンの名称を読出して、前記選択ボタンの名称を設定し、かつ、前記選択ボタンに対応する前記表示グループに紐付けられた前記通知情報リストに保存される前記通知情報の追加又は削除を設定する表示グループ設定部を備える
請求項２に記載の自動分析装置。
【請求項４】
さらに、前記通知情報一覧表示領域に一覧表示された前記通知情報から選択された前記通知情報の詳細情報が表示される通知情報詳細表示画面を前記表示部に表示する詳細表示制御部を備え、
前記詳細表示制御部は、前記通知情報の詳細情報と共に、所定の集計期間内に発生した前記通知情報を集計した集計情報を前記通知情報詳細表示画面に表示する
請求項３に記載の自動分析装置。
【請求項５】
前記集計情報には、前記集計期間、前記集計期間内に発生した前記通知情報の発生件数、及び前記通知情報毎の発生日時が含まれる
請求項４に記載の自動分析装置。
【請求項６】
自動分析装置で発生した通知情報を通知情報記憶部に記憶するステップと、
前記通知情報を性質別に分類するための表示グループに紐付けられた通知情報リストを通知情報リスト記憶部に記憶するステップと、
選択された前記表示グループに紐付けられた前記通知情報リストに従って前記通知情報記憶部から前記通知情報を抽出し、抽出した前記通知情報を表示部に一覧表示するように制御するステップと、を含む
通知情報表示方法。
【発明の詳細な説明】
【技術分野】
【０００１】
本発明は、検体と試薬とを反応させて検体の成分を分析するための自動分析装置及び通知情報表示方法に関する。
【背景技術】
【０００２】
自動分析装置として、血液や尿等の検体に含まれる各種成分を分析する生化学分析装置が知られている。この生化学分析装置では、血清、尿等の検体を一定の条件で希釈した後、反応容器に分注して、分析項目に応じた試薬と、検体とを反応容器（キュベット）内で混合して反応させている。そして、生化学分析装置は、反応容器に分注された希釈検体の吸光度を測定し、吸光度を濃度に換算することによって、検体に含まれる測定対象物質の分析を行っている。
【０００３】
従来の自動分析装置では、測定対象物質の分析に際して様々な情報を蓄積し、表示装置に情報を表示していた。ここで、従来の通知情報一覧表示画面の構成を説明する。
図１４は、従来の通知情報一覧表示画面１００の例を示すユーザー・インターフェイス図である。
【０００４】
通知情報一覧表示画面１００は、通知情報一覧表示領域１０１、エラー種別選択領域１０２を備える。通知情報一覧表示領域１０１には、自動分析装置で発生した様々な通知情報が、通知情報の発生日時、モード、検体ＩＤ、項目名、通知情報ナンバー、通知情報の内容、エラー処理といった各種の情報と共に表示される。エラー種別選択領域１０２は、ユーザーが、通知情報一覧表示領域１０１に表示される通知情報の警告レベルを選択するために用いられる。エラー種別選択領域１０２には、通知情報の警告レベルに応じて複数のエラー種別選択ボタン１０２ａが表示される。通知情報の警告レベルには、「ＥＲＲＯＲ」、「ＷＡＲＮＩＮＧ」、「ＬＯＧ」が含まれる。「ＥＲＲＯＲ」、「ＷＡＲＮＩＮＧ」は、発生した通知情報の重要度を示す。「ＬＯＧ」は、自動分析装置で発生した通知情報のログを示す。ユーザーによって押下されたエラー種別選択ボタン１０２ａは、表示色を変えて強調表示される。図１４では、全てのエラー種別選択ボタン１０２ａが選択された状態が示されている。
【０００５】
このように通知情報を表示する技術として、特許文献１に開示された技術が知られている。この特許文献１には、標準液試料又は精度管理試料の少なくともいずれかの測定状況を識別できる識別情報を表示し、かつ、標準試料又は精度管理試料毎に測定状況の変化に追従して識別情報の表示を切り替える技術が開示されている。
【先行技術文献】
【特許文献】
【０００６】
【特許文献１】特開２０１０−１５１７０７号公報
【発明の概要】
【発明が解決しようとする課題】
【０００７】
従来の自動分析装置では、警告レベルで通知情報を抽出し、この抽出した通知情報の表示可否を切り替えていた。通知情報には、警告レベル以外にも様々な項目の情報が含まれているものの、従来は警告レベル毎に様々な項目が混在した状態でしか通知情報を表示することができなかった。例えば、「ＥＲＲＯＲ」が選択された場合には、重要度の高い通知情報が表示されるが、この通知情報には、設定系、データの異常、ハードウェア異常、自動分析装置内の洗剤や試薬等の液不足等の情報が混ざっていた。このため、例えば、ユーザーは試薬や洗剤が不足している容器の位置や、交換時期が到来した装置の部品を素早く知ることができなかった。
【０００８】
また、ユーザーが分析結果のデータ異常だけを確認したり、液不足になった洗剤、試薬だけを確認したりする際には、通知情報の一覧をスクロールしながら目視で探していた。しかし、大量の通知情報の一覧から特定の通知情報を漏れなく探す作業は、ユーザーに負担がかかり、必要とする通知情報を見落とすおそれがあった。このように従来の自動分析装置では、通知情報の発生状況を調べたり、検索したりすることが容易でなく、ユーザーが必要とする通知情報を探す作業には時間と労力が必要であった。また、特許文献１に開示された技術を用いても、ユーザーが必要とする通知情報を探すには手間がかかっていた。
【０００９】
本発明はこのような状況に鑑みて成されたものであり、ユーザーが必要とする情報を容易に探して確認できるようにすることを目的とする。
【課題を解決するための手段】
【００１０】
本発明に係る自動分析装置は、表示部と、自装置で発生した通知情報を記憶する通知情報記憶部と、通知情報を性質別に分類するための表示グループを選択する表示グループ選択部と、表示グループに紐付けられた通知情報リストを記憶する通知情報リスト記憶部と、表示グループ選択部によって選択された表示グループに紐付けられた通知情報リストに従って通知情報記憶部から通知情報を抽出し、抽出した通知情報を表示部に一覧表示するように制御する一覧表示制御部と、を備える。
【発明の効果】
【００１１】
本発明によれば、ユーザーは、自動分析装置で発生した通知情報の中から必要な通知情報を素早く探しだし、発生した通知情報を確認することが可能となる。
上記した以外の課題、構成及び効果は、以下の実施の形態例の説明により明らかにされる。
【図面の簡単な説明】
【００１２】
【図１】本発明の自動分析装置の第１の実施の形態例を模式的に示す説明図である。
【図２】本発明の第１の実施の形態例に係る計算機の内部構成例を示すハードウェア構成図である。
【図３】本発明の第１の実施の形態例に係る計算機の機能ブロック図である。
【図４】本発明の第１の実施の形態例に係る表示グループの例を示す説明図である。
【図５】本発明の第１の実施の形態例に係る全ての表示グループが選択された状態における通知情報一覧表示画面の表示例を示すユーザー・インターフェイス図である。
【図６】本発明の第１の実施の形態例に係る「データ系」の表示グループが選択された場合における通知情報一覧表示画面の表示例を示すユーザー・インターフェイス図である。
【図７】本発明の第１の実施の形態例に係る計算機の処理例を示すフローチャートである。
【図８】本発明の第２の実施の形態例に係る計算機の機能ブロック図である。
【図９】本発明の第２の実施の形態例に係るボタン設定画面の表示例を示すユーザー・インターフェイス図である。
【図１０】本発明の第２の実施の形態例に係る表示グループ選択ボタンの名称が変更された表示グループ選択領域を拡大視した表示例を示すユーザー・インターフェイス図である。
【図１１】本発明の第２の実施の形態例に係る通知情報設定画面の表示例を示すユーザー・インターフェイス図である。
【図１２】本発明の第３の実施の形態例に係る計算機の機能ブロック図である。
【図１３】本発明の第３の実施の形態例に係る通知情報一覧表示画面の表示例を示すユーザー・インターフェイス図である。
【図１４】従来の通知情報一覧表示画面の表示例を示すユーザー・インターフェイス図である。
【発明を実施するための形態】
【００１３】
以下、本発明の第１の実施の形態例に係る自動分析装置について、添付図面を参照して説明する。本明細書及び図面において、実質的に同一の機能又は構成を有する構成要素については、同一の符号を付することにより重複する説明を省略する。
【００１４】
［１．第１の実施の形態例］
＜１−１．自動分析装置の構成＞
まず、本例の自動分析装置について図１を参照して説明する。
図１は、本例の自動分析装置を模式的に示す説明図である。
図１に示す生化学分析装置１は、本発明の自動分析装置の一例として適用する生化学分析装置である。生化学分析装置１は、血液や尿等の生体試料に含まれる特定の成分の量を自動的に測定する装置である。
【００１５】
図１に示すように、生化学分析装置１は、サンプルターンテーブル２と、希釈ターンテーブル３と、第１試薬ターンテーブル４と、第２試薬ターンテーブル５と、反応ターンテーブル６と、を備えている。また、生化学分析装置１は、サンプル希釈ピペット７と、サンプリングピペット８と、希釈撹拌装置９と、希釈洗浄装置１１と、第１試薬ピペット１２と、第２試薬ピペット１３と、第１反応撹拌装置１４と、第２反応撹拌装置１５と、多波長光度計１６と、恒温槽１７と、反応容器洗浄装置１８と、計算機３０とを備えている。
【００１６】
サンプルターンテーブル２（検体容器保持部の一例）は、軸方向の一端が開口した略円筒状をなす容器状に形成されている。このサンプルターンテーブル２には、複数の検体容器２１と、複数の希釈液容器２２が収容されている。検体容器２１には、血液や尿等からなる検体（サンプル）が収容される。希釈液容器２２には、通常の希釈液である生理食塩水以外の特別な希釈液が収容される。
【００１７】
複数の検体容器２１は、サンプルターンテーブル２の周方向に所定の間隔を開けて並べて配置されている。また、サンプルターンテーブル２の周方向に並べられた検体容器２１の列は、サンプルターンテーブル２の半径方向に所定の間隔を開けて２列セットされている。
【００１８】
複数の希釈液容器２２は、複数の検体容器２１の列よりもサンプルターンテーブル２の半径方向の内側に配置されている。複数の希釈液容器２２は、複数の検体容器２１と同様に、サンプルターンテーブル２の周方向に所定の間隔を開けて並べて配置されている。そして、サンプルターンテーブル２の周方向に並べられた希釈液容器２２の列は、サンプルターンテーブル２の半径方向に所定の間隔を開けて２列セットされている。
【００１９】
なお、複数の検体容器２１及び複数の希釈液容器２２の配列は、２列に限定されるものではなく、１列でもよく、あるいはサンプルターンテーブル２の半径方向に３列以上配置してもよい。
【００２０】
サンプルターンテーブル２は、不図示の駆動機構によって周方向に沿って回転可能に支持されている。そして、サンプルターンテーブル２は、不図示の駆動機構により、周方向に所定の角度範囲ごとに、所定の速度で回転する。また、サンプルターンテーブル２の周囲には、希釈ターンテーブル３（希釈容器保持部の一例）が配置されている。
【００２１】
希釈ターンテーブル３、第１試薬ターンテーブル４、第２試薬ターンテーブル５及び反応ターンテーブル６（反応容器保持部の一例）は、サンプルターンテーブル２と同様に、軸方向の一端が開口した略円筒状をなす容器状に形成されている。希釈ターンテーブル３及び反応ターンテーブル６は、不図示の駆動機構により、その周方向に所定の角度範囲ずつ、所定の速度で回転する。なお、反応ターンテーブル６は、一回の移動で半周以上回転するように設定されている。
【００２２】
希釈ターンテーブル３には、複数の希釈容器２３が希釈ターンテーブル３の周方向に並べて収容されている。希釈容器２３には、サンプルターンテーブル２に配置された検体容器２１から吸引され、希釈された検体（以下、「希釈検体」という）が収容される。
【００２３】
第１試薬ターンテーブル４には、複数の第１試薬容器２４が第１試薬ターンテーブル４の周方向に並べて収容されている。また、第２試薬ターンテーブル５には、複数の第２試薬容器２５が第２試薬ターンテーブル５の周方向に並べて収容されている。そして、第１試薬容器２４には、濃縮された第１試薬が収容され、第２試薬容器２５には、濃縮された第２試薬が収容される。
【００２４】
さらに、第１試薬ターンテーブル４、第１試薬容器２４、第２試薬ターンテーブル５及び第２試薬容器２５は、不図示の保冷機構によって所定の温度に保たれている。そのため、第１試薬容器２４に収容された第１試薬と、第２試薬容器２５に収容された第２試薬は、所定の温度で保冷される。
【００２５】
反応ターンテーブル６は、希釈ターンテーブル３と、第１試薬ターンテーブル４及び第２試薬ターンテーブル５の間に配置されている。反応ターンテーブル６には、複数の反応容器２６が反応ターンテーブル６の周方向に並べて収容されている。反応容器２６には、希釈ターンテーブル３の希釈容器２３からサンプリングした希釈検体と、第１試薬ターンテーブル４の第１試薬容器２４からサンプリングした第１試薬と、第２試薬ターンテーブル５の第２試薬容器２５からサンプリングした第２試薬が注入される。そして、この反応容器２６内において、希釈検体と、第１試薬及び第２試薬が撹拌され、反応が行われる。
【００２６】
サンプル希釈ピペット７（第１分注部の一例）は、サンプルターンテーブル２と希釈ターンテーブル３の周囲に配置される。サンプル希釈ピペット７は、不図示の希釈ピペット駆動機構により、サンプルターンテーブル２及び希釈ターンテーブル３の軸方向（例えば、上下方向）に移動可能に支持されている。また、サンプル希釈ピペット７は、希釈ピペット駆動機構により、サンプルターンテーブル２及び希釈ターンテーブル３の開口と略平行をなす水平方向に沿って回動可能に支持されている。そして、サンプル希釈ピペット７は、水平方向に沿って回動することで、サンプルターンテーブル２と希釈ターンテーブル３の間を往復運動する。なお、サンプル希釈ピペット７がサンプルターンテーブル２と希釈ターンテーブル３の間を移動する際、サンプル希釈ピペット７は、不図示の洗浄装置を通過する。
【００２７】
ここで、サンプル希釈ピペット７の動作について説明する。
サンプル希釈ピペット７がサンプルターンテーブル２における開口の上方の所定位置に移動した際、サンプル希釈ピペット７は、サンプルターンテーブル２の軸方向に沿って下降し、その先端に設けたピペットを検体容器２１内に挿入する。このとき、サンプル希釈ピペット７は、不図示のサンプル用ポンプが作動して検体容器２１内に収容された検体を所定量吸引する。次に、サンプル希釈ピペット７は、サンプルターンテーブル２の軸方向に沿って上昇してピペットを検体容器２１内から抜き出す。そして、サンプル希釈ピペット７は、水平方向に沿って回動し、希釈ターンテーブル３における開口の上方の所定位置に移動する。
【００２８】
次に、サンプル希釈ピペット７は、希釈ターンテーブル３の軸方向に沿って下降して、ピペットを所定の希釈容器２３内に挿入する。そして、サンプル希釈ピペット７は、吸引した検体と、サンプル希釈ピペット７自体から供給される所定量の希釈液（例えば、生理食塩水）を希釈容器２３内に吐出する。その結果、希釈容器２３内で、検体が所定倍数の濃度に希釈される。その後、サンプル希釈ピペット７は、洗浄装置によって洗浄される。
【００２９】
サンプリングピペット８（第２分注部の一例）は、希釈ターンテーブル３と反応ターンテーブル６の間に配置されている。サンプリングピペット８は、不図示のサンプリングピペット駆動機構により、サンプル希釈ピペット７と同様に、希釈ターンテーブル３の軸方向（上下方向）と水平方向に移動及び回動可能に支持されている。そして、サンプリングピペット８は、希釈ターンテーブル３と反応ターンテーブル６の間を往復運動する。
【００３０】
このサンプリングピペット８は、希釈ターンテーブル３の希釈容器２３内にピペットを挿入して、所定量の希釈検体を吸引する。そして、サンプリングピペット８は、吸引した希釈検体を反応ターンテーブル６の反応容器２６内に吐出する。
【００３１】
第１試薬ピペット１２は、反応ターンテーブル６と第１試薬ターンテーブル４の間に配置され、第２試薬ピペット１３は、反応ターンテーブル６と第２試薬ターンテーブル５の間に配置されている。第１試薬ピペット１２は、不図示の第１試薬ピペット駆動機構により、反応ターンテーブル６の軸方向（上下方向）と水平方向に移動及び回動可能に支持されている。そして、第１試薬ピペット１２は、第１試薬ターンテーブル４と反応ターンテーブル６の間を往復運動する。
【００３２】
第１試薬ピペット１２は、第１試薬ターンテーブル４の第１試薬容器２４内にピペットを挿入して、所定量の第１試薬を吸引する。そして、第１試薬ピペット１２は、吸引した第１試薬を反応ターンテーブル６の反応容器２６内に吐出する。
【００３３】
また、第２試薬ピペット１３は、不図示の第２試薬ピペット駆動機構により、第１試薬ピペット１２と同様に、反応ターンテーブル６の軸方向（上下方向）と水平方向に移動及び回動可能に支持されている。そして、第２試薬ピペット１３は、第２試薬ターンテーブル５と反応ターンテーブル６の間を往復運動する。
【００３４】
第２試薬ピペット１３は、第２試薬ターンテーブル５の第２試薬容器２５内にピペットを挿入して、所定量の第２試薬を吸引する。そして、第２試薬ピペット１３は、吸引した第２試薬を反応ターンテーブル６の反応容器２６内に吐出する。
【００３５】
希釈撹拌装置９及び希釈洗浄装置１１は、希釈ターンテーブル３の周囲に配置されている。希釈撹拌装置９は、不図示の撹拌子を希釈容器２３内に挿入し、検体と希釈液を撹拌する。
【００３６】
希釈洗浄装置１１は、サンプリングピペット８によって希釈検体が吸引された後の希釈容器２３を洗浄する装置である。この希釈洗浄装置１１は、複数の希釈容器洗浄ノズルを有している。複数の希釈容器洗浄ノズルは、不図示の廃液ポンプと、不図示の洗剤ポンプに接続されている。希釈洗浄装置１１は、希釈容器洗浄ノズルを希釈容器２３内に挿入し、廃液ポンプを駆動させて挿入した希釈容器洗浄ノズルによって希釈容器２３内に残留する希釈検体を吸い込む。そして、希釈洗浄装置１１は、吸い込んだ希釈検体を不図示の廃液タンクに排出する。
【００３７】
その後、希釈洗浄装置１１は、洗剤ポンプから希釈容器洗浄ノズルに洗剤を供給し、希釈容器洗浄ノズルから希釈容器２３内に洗剤を吐出する。この洗剤によって希釈容器２３内を洗浄する。その後、希釈洗浄装置１１は、洗剤を希釈容器洗浄ノズルによって吸引し、希釈容器２３内を乾燥させる。
【００３８】
第１反応撹拌装置１４、第２反応撹拌装置１５及び反応容器洗浄装置１８は、反応ターンテーブル６の周囲に配置されている。第１反応撹拌装置１４は、不図示の撹拌子を反応容器２６内に挿入し、希釈検体と第１試薬を撹拌する。これにより、希釈検体と第１試薬との反応が均一かつ迅速に行われる。なお、第１反応撹拌装置１４の構成は、希釈撹拌装置９と同一であるため、ここではその説明は省略する。
【００３９】
第２反応撹拌装置１５は、不図示の撹拌子を反応容器２６内に挿入し、希釈検体と、第１試薬と、第２試薬とを撹拌する。これにより、希釈検体と、第１試薬と、第２試薬との反応が均一かつ迅速に行われる。なお、第２反応撹拌装置１５の構成は、希釈撹拌装置９と同一であるため、ここではその説明は省略する。
【００４０】
反応容器洗浄装置１８は、検査が終了した反応容器２６内を洗浄する装置である。この反応容器洗浄装置１８は、複数の反応容器洗浄ノズルを有している。複数の反応容器洗浄ノズルは、希釈容器洗浄ノズルと同様に、不図示の廃液ポンプと、不図示の洗剤ポンプに接続されている。なお、反応容器洗浄装置１８における洗浄工程は、上述した希釈洗浄装置１１と同様であるため、その説明は省略する。
【００４１】
また、多波長光度計１６は、反応ターンテーブル６の周囲における反応ターンテーブル６の外壁と対向するように配置されている。多波長光度計１６は、反応容器２６内に注入され、第１試薬及び第２試薬と反応した希釈検体に対して光学的測定を行って、検体中の様々な成分の量を「吸光度」という数値データとして出力し、希釈検体の反応状態を検出するものである。多波長光度計１６には、計算機３０が接続されている。
【００４２】
さらに、反応ターンテーブル６の周囲には、恒温槽１７が配置されている。この恒温槽１７は、反応ターンテーブル６に設けられた反応容器２６の温度を常時一定に保持するように構成されている。
【００４３】
＜１−２．計算機の構成例＞
次に、計算機３０の構成例について、図２と図３を参照して説明する。
図２は、計算機３０の内部構成例を示すハードウェア構成図である。
計算機３０は、バス３６に接続された、制御部３１と、記憶部３２と、表示部３３と、入力部３４と、インターフェイス部３５とを備える。
【００４４】
制御部３１は、例えば、ＣＰＵ（Central Processing Unit）等によって構成されており、生化学分析装置１内の各部の動作を制御する。
記憶部３２は、例えば、ＨＤＤ（Hard disk drive）等の大容量の記録装置によって構成されており、制御部３１のプログラム、パラメータ、検量線、希釈異常の検出結果、入力部３４によってなされた入力操作等を記録する。
【００４５】
表示部３３は、例えば、液晶ディスプレイ装置によって構成されており、後述する図５、図６に示す表示画面を表示する。
入力部３４は、例えば、マウス、キーボード、タッチパネル等によって構成されており、ユーザーによって行われる生化学分析装置１に対する操作入力を受け付け、入力信号を制御部３１に出力する。
【００４６】
インターフェイス部３５は、多波長光度計１６が測定した希釈検体の測定結果が入力されると、制御部３１に測定結果を渡すために用いられる。なお、図２では、インターフェイス部３５に多波長光度計１６だけを接続した例を示しているが、生化学分析装置１内の各部についても同様にインターフェイス部３５に接続され、制御部３１による制御が行われる。
【００４７】
図３は、計算機３０の機能ブロック図である。
制御部３１は、表示グループ選択部３１ａと一覧表示制御部３１ｂを備える。
記憶部３２は、通知情報リスト記憶部３２ａと通知情報記憶部３２ｂを備える。
【００４８】
通知情報リスト記憶部３２ａは、予め表示グループに紐付けられた通知情報リストを記憶する。通知情報リストは、一覧表示制御部３１ｂが通知情報記憶部３２ｂから通知情報を取得する際に、特定の通知情報だけを抽出するために用いられる。表示グループとは、通知情報を性質別に分類するために用いられる表示単位であり、ある表示グループに紐付けられた通知情報リストには、複数種類の通知情報が含まれる（後述する図４を参照）。
【００４９】
通知情報記憶部３２ｂは、生化学分析装置１で発生した全ての通知情報を記憶する。通知情報は、例えば、通知情報の発生日時、モード、検体ＩＤ、項目名、通知情報ナンバー、通知情報の内容、エラー処理といった各種の情報を含む。また、通知情報には、生化学分析装置１の動作時に発生するエラーだけでなく、計算機３０の制御部３１にて実行されるアプリケーションプログラムの処理エラー等も含まれる。
【００５０】
表示グループ選択部３１ａは、通知情報リスト記憶部３２ａを参照して、後述する図５と図６に示す通知情報一覧表示画面４０の表示グループ選択領域４３に表示された表示グループ選択ボタン４３ａを選択する。表示グループ選択ボタン４３ａの選択操作は、ユーザーが入力部３４を操作することによって行われる。そして、表示グループ選択部３１ａは、ユーザーによって選択された表示グループの情報を、一覧表示制御部３１ｂに渡す。
【００５１】
一覧表示制御部３１ｂは、表示グループ選択部３１ａによって選択された表示グループに紐付けられた通知情報リストを通知情報リスト記憶部３２ａから取得し、この通知情報リストに従って通知情報記憶部３２ｂから通知情報を抽出する。そして、一覧表示制御部３１ｂは、通知情報記憶部３２ｂから抽出した通知情報を表示部３３に一覧表示するように制御する。この通知情報は、後述する図５に示す通知情報一覧表示画面４０に一覧表示される。
【００５２】
次に、表示グループについて説明する。
図４は、表示グループの例を示す説明図である。
上述したように通知情報の種類は性質別に複数の表示グループに分類される。表示グループは、大きく、システム系、メンテナンス系、ハードウェア系、試薬・洗剤系、ユーザー設定系に分けられる。システム系はさらにデータ系、設定系に分けられる。
【００５３】
データ系には、例えば、生化学分析装置１が分析したデータに発生した異常に関する通知情報が含まれる。
設定系には、例えば、生化学分析装置１の稼働時における設定異常等に関する通知情報が含まれる。
メンテナンス系には、例えば、生化学分析装置１の保守期限等に関する通知情報が含まれる。
ハードウェア系には、例えば、生化学分析装置１を構成するユニットが正常に稼働しなかったことに関する通知情報が含まれる。
試薬・洗剤系には、例えば、生化学分析装置１に設置される試薬の試薬量が少なくなったこと、又は試薬がなくなったことに関する通知情報が含まれる。
ユーザー設定系には、例えば、ユーザーが任意に設定することが可能な通知情報が含まれる。
【００５４】
なお、データ系の表示グループには、「Ａ１、Ａ２、Ａ３、…」のように通知情報の項目が含まれる。これらの通知情報が通知情報リストとして通知情報リスト記憶部３２ａに記憶されている。他の系の表示グループについても、データ系の表示グループと同様に、通知情報リストが紐付けられている。
【００５５】
＜１−３．表示画面の例＞
次に、表示部３３に表示される表示画面の例について、図５と図６を参照して説明する。
図５は、全ての表示グループが選択された状態における通知情報一覧表示画面４０の表示例を示すユーザー・インターフェイス図である。
【００５６】
表示部３３に表示される通知情報一覧表示画面４０は、通知情報一覧表示領域４１、エラー種別選択領域４２、表示グループ選択領域４３を備える。
通知情報一覧表示領域４１には、生化学分析装置１で発生した様々な通知情報が発生日時、検体ＩＤ、通知情報番号、通知情報の内容、エラー処理といった情報と共に一連表示される。
【００５７】
エラー種別選択領域４２は、警告レベル毎に通知情報を通知情報一覧表示領域４１に表示するために用いられる。ユーザーによって押下されたエラー種別選択ボタン４２ａは、表示色を変えて強調表示される。図５において、エラー種別選択領域４２に表示される「ＥＲＲＯＲ」、「ＷＡＲＮＩＮＧ」、「ＬＯＧ」のエラー種別選択ボタン４２ａが全て押下された状態が示される。
【００５８】
表示グループ選択領域４３は、表示グループ毎に選択した通知情報を通知情報一覧表示領域４１に表示するために用いられる。表示グループ選択領域４３には、表示グループを選択するための複数の表示グループ選択ボタン４３ａが表示される。ユーザーによって押下された表示グループ選択ボタン４３ａは、表示色を変えて強調表示される。図５では、「データ系」、「設定系」、「メンテナンス」、「ハード系」、「試薬・洗剤」、「ユーザー」の表示グループ選択ボタン４３ａが全て選択された状態がグレー表示されている。
【００５９】
図６は、「データ系」の表示グループが選択された場合における通知情報一覧表示画面４０の表示例を示すユーザー・インターフェイス図である。
エラー種別選択ボタン４２ａは、「ＥＲＲＯＲ」、「ＷＡＲＮＩＮＧ」、「ＬＯＧ」が全て選択された状態である。そして、表示グループ選択領域４３に表示される表示グループ選択ボタン４３ａは、「データ系」だけが選択された状態である。このため、一覧表示制御部３１ｂは、「データ系」の表示グループに紐付けられた通知情報リストに含まれる通知情報を通知情報一覧表示領域４１に一覧表示するように制御する。
【００６０】
＜１−４．計算機の処理例＞
次に、計算機３０の処理例について、図７を参照して説明する。
図７は、計算機３０の処理例を示すフローチャートである。このフローチャートは、第１の実施の形態例に係る計算機３０が行う通知情報表示方法を示すものである。
【００６１】
始めに、通知情報記憶部３２ｂは、生化学分析装置１で発生した通知情報を記憶する（Ｓ１）。次に、通知情報リスト記憶部３２ａは、表示グループに紐付けられた通知情報リストを記憶する（Ｓ２）。なお、ステップＳ２における通知情報リストの記憶処理は、本処理以前に予め実行されていてもよい。また、次のステップＳ３により表示グループが選択されるまで、ステップＳ１にて行われる通知情報を記憶する処理が繰り返される。
【００６２】
ユーザーによって表示グループ選択ボタン４３ａが押下されると、表示グループ選択部３１ａは、通知情報を性質別に分類するための表示グループを選択する（Ｓ３）。
【００６３】
次に、一覧表示制御部３１ｂは、ユーザーにより選択された表示グループに紐付けられた通知情報リストに従って通知情報記憶部３２ｂから通知情報を抽出し（Ｓ４）、抽出した通知情報を表示部３３に一覧表示するように制御する（Ｓ５）。
【００６４】
以上説明した第１の実施の形態例に係る生化学分析装置１では、ユーザーが選択した特定の表示グループに含まれる通知情報だけを性質別に分類して通知情報一覧表示画面４０の通知情報一覧表示領域４１に一覧表示することが可能となる。このため、ユーザーは、多数の通知情報の中から目的とする通知情報を目視で探さなくてもよく、特定の表示グループに含まれる通知情報だけを容易に探すことができる。また、ユーザーによって選択された表示グループに含まれる通知情報だけが一覧表示されるため、ユーザーが通知情報を探すときの視認性が向上し、ユーザーの作業時間、労力が軽減される。
【００６５】
なお、生化学分析装置１では、ユーザーがエラー種別選択ボタン４２ａを押下することで、従来行われていた警告レベル（ＥＲＲＯＲ、ＷＡＲＮＩＮＧ、ＬＯＧ）に応じて通知情報の表示可否を切り替える操作を併用可能である。このため、ユーザーにより選択された表示グループ内の通知情報のうち、特定の警告レベルの通知情報だけを一覧表示することが可能となり、生化学分析装置１で発生した異常の原因分析に役立てることができる。
【００６６】
また、通知情報一覧表示画面４０には、通知情報の発生期間を指定するための発生期間指定領域が設けられていてもよい。この場合、ユーザーは、発生期間指定領域に通知情報の発生期間を指定することにより、指定期間内に発生した通知情報だけを抽出して確認することも可能となる。
【００６７】
［２．第２の実施の形態例］
次に、本発明の第２の実施の形態例に係る計算機について説明する。
上述した第１の実施の形態例に係る計算機３０では、ユーザーが表示グループ選択領域４３に表示される表示グループ選択ボタン４３ａを押下することで、ユーザーの目的とする表示グループを選択することが可能であった。しかし、予め保存されている表示グループ以外にも、ユーザーが独自に設定した通知情報の発生を知りたいという要望がある。このため、第２の実施の形態例に係る計算機３０Ａでは、ユーザーが通知情報リストの内容を任意に変更可能とする。以下に計算機３０Ａの機能構成について説明する。
【００６８】
図８は、計算機３０Ａの機能ブロック図である。
計算機３０Ａにおいて、制御部３１は、表示グループ選択部３１ａと一覧表示制御部３１ｂに加えて、表示グループ設定部３１ｃを備える。表示グループ設定部３１ｃは、表示グループ選択部３１ａの前段に設けられる。
記憶部３２は、第１の実施の形態例に係る計算機３０と同様に、通知情報リスト記憶部３２ａと通知情報記憶部３２ｂを備える。
【００６９】
表示グループ設定部３１ｃは、通知情報リスト記憶部３２ａにアクセスして、表示グループ選択ボタン４３ａの名称を設定する。また、表示グループ設定部３１ｃは、名称が設定された表示グループ選択ボタン４３ａに対応する表示グループに紐付けられた通知情報リストに保存される通知情報の追加又は削除を設定する。
【００７０】
図９は、ボタン設定画面５０の表示例を示すユーザー・インターフェイス図である。
図１０は、表示グループ選択ボタン４３ａの名称が変更された表示グループ選択領域４３を拡大視した表示例を示すユーザー・インターフェイス図である。
【００７１】
表示部３３に表示されるボタン設定画面５０は、例えば、図５と図６に示された表示グループ選択ボタン４３ａの名称のうち「ユーザー」を変更する際に表示される。表示グループ選択ボタン４３ａの「ユーザー」は、ユーザー自身が任意のボタン名称、通知情報リストに保存される通知情報を設定するために用いられる。図９Ａには、ユーザーボタンの名称を変更する前におけるボタン設定画面５０の表示例が示される。ボタン設定画面５０には、「ユーザーボタン名称」とタイトルが付けられたテキストボックス５１が表示される。このテキストボックス５１には、予め「ユーザー」と設定されている。
【００７２】
そして、図９Ｂには、ユーザーボタンの名称が変更された後におけるボタン設定画面５０の表示例が示される。ユーザーは、入力部３４を操作して、テキストボックス５１を選択し、図９Ｂに示すように「ユーザー」から「キャリブエラー」に変更することが可能である。変更後のボタン名称は、通知情報リスト記憶部３２ａに保存される。その後、一覧表示制御部３１ｂは、通知情報リスト記憶部３２ａから読出した通知情報リストに従って、通知情報一覧表示画面４０を表示する際、図１０に示すように表示グループ選択領域４３に含まれる表示グループ選択ボタン４３ａのボタン名称の「ユーザー」を「キャリブエラー」に変えて表示する。
【００７３】
また、表示グループ設定部３１ｃは、ユーザー設定ボタンが選択されたときに通知情報記憶部３２ｂから抽出する通知情報の種類を通知情報リストに設定することもできる。ここで、通知情報リストに通知情報の種類を設定する画面について、図１１を参照して説明する。
【００７４】
図１１は、通知情報設定画面６０の表示例を示すユーザー・インターフェイス図である。
表示部３３に表示される通知情報設定画面６０は、選択可能通知情報リスト６１、選択済み通知情報６２、選択指示矢印６３、選択解除矢印６４を備える。
選択可能通知情報リスト６１には、生化学分析装置１で発生しうる全ての通知情報が、通知情報を特定するために一意に割り当てられる通知情報ナンバー６１ａと共に表示される。ユーザーは、選択可能通知情報リスト６１に表示された通知情報の一覧から、特定の通知情報を選択した後、右向きの選択指示矢印６３を押すと、選択済み通知情報６２に選択された通知情報が選択済み通知情報６２に選択される。そして、ユーザーは、選択可能通知情報リスト６１から選択した通知情報を選択済み通知情報６２に選択する操作を複数回にわたって繰り返し行うことができる。
【００７５】
また、ユーザーは、選択済み通知情報６２に選択された通知情報から１つの通知情報を選択し、左向きの選択解除矢印６４を押すと、選択済み通知情報６２から選択された通知情報が削除される。これによりユーザーは、不要となった通知情報を選択済み通知情報６２から削除することができる。
【００７６】
ユーザーは、選択済み通知情報６２に通知情報を選択した後、保存ボタンを押すと、選択済み通知情報６２に選択された通知情報が、通知情報リストとして通知情報リスト記憶部３２ａに保存される。このため、通知情報一覧表示画面４０が表示された状態で、ユーザーが、図１０に示した「キャリブエラー」が表示される表示グループ選択ボタン４３ａを押下すると、「キャリブエラー」に対応付けて保存された通知情報が通知情報一覧表示領域４１に表示される。
【００７７】
以上説明した第２の実施の形態例に係る計算機３０Ａによれば、表示グループにユーザーが任意の通知情報を設定可能なユーザー設定系の表示グループ選択ボタン４３ａを用意することにより、既存の表示グループ以外の通知情報を任意に追加することが可能となる。このとき、ユーザーは、ユーザー用に設けられた表示グループを選択するための表示グループ選択ボタン４３ａの名称を任意に設定することができる。また、ユーザーは、ユーザー設定系の表示グループ選択ボタン４３ａに対応する通知情報リストに、任意の通知情報を追加又は削除することができる。このため、ユーザーがボタン設定画面５０にて設定した表示グループ選択ボタン４３ａを選択すると、ユーザーが通知情報設定画面６０にて設定した通知情報リストに含まれる通知情報だけが通知情報一覧表示領域４１に表示される。そして、ユーザーは、ユーザー設定系の表示グループを選択するだけで目的とする通知情報を素早く確認することが可能となる。
【００７８】
［３．第３の実施の形態例］
次に、本発明の第３の実施の形態例に係る計算機について説明する。
従来は、通知情報リストに表示された通知情報を集計するためには、通知情報をテキストファイルに出力し、このテキストファイルを表計算ソフトで読み込んで、並べ替えをしていた。また、このテキストファイルをテキストエディターで読み込み、欲しい情報をキーワードで検索することもあった。しかし、このような方法では目的とする通知情報の集計が完了するまで時間がかかっていた。このため、第３の実施の形態例に係る計算機３０Ｂでは、発生した通知情報の集計を簡単にできるようにする。
【００７９】
図１２は、計算機３０Ｂの機能ブロック図である。
計算機３０Ｂにおいて、制御部３１は、表示グループ選択部３１ａと一覧表示制御部３１ｂに加えて、詳細表示制御部３１ｄを備える。詳細表示制御部３１ｄは、一覧表示制御部３１ｂの後段に設けられる。
記憶部３２は、第１の実施の形態例に係る計算機３０と同様に、通知情報リスト記憶部３２ａと通知情報記憶部３２ｂを備える。
【００８０】
詳細表示制御部３１ｄは、通知情報記憶部３２ｂにアクセスして、一覧表示制御部３１ｂによって通知情報一覧表示領域４１に表示された選択された通知情報の詳細情報を含む通知情報詳細表示画面７０（後述する図１３を参照）を表示部３３に表示する。ここで、第３の実施の形態例に係る通知情報一覧表示画面４０について説明する。
【００８１】
図１３は、通知情報一覧表示画面４０の表示例を示すユーザー・インターフェイス図である。
通知情報一覧表示画面４０に示す通知情報一覧表示領域４１には、生化学分析装置１で発生した通知情報が一覧表示されている。ここで、通知情報一覧表示領域４１の任意の通知情報をダブルクリック等により選択すると、選択された通知情報を示す選択通知情報４１ａが表示色を変えて表示される。そして、通知情報詳細表示画面７０が通知情報一覧表示画面４０に重ねて表示される。
【００８２】
このとき、詳細表示制御部３１ｄは、通知情報の詳細情報と共に、予め設定された所定の集計期間内に発生した通知情報を集計した集計情報を通知情報詳細表示画面７０に表示する。表示部３３に表示される通知情報詳細表示画面７０は、通知情報詳細内容表示領域７１と、集計情報表示領域７２とを備える。
【００８３】
通知情報詳細内容表示領域７１には、通知情報一覧表示領域４１にてダブルクリックされた通知情報の詳細な内容が表示される。
集計情報表示領域７２に表示される集計情報には、通知情報を集計する集計期間、通知情報一覧表示領域４１にてダブルクリックされた通知情報の集計期間内に発生した通知情報の発生件数、通知情報毎の発生日時が含まれる。この集計情報表示領域７２の表示位置は、通知情報詳細表示画面７０の下側であるが、右側等であってもよい。
【００８４】
図１２に示す詳細表示制御部３１ｄは、通知情報一覧表示領域４１にてダブルクリックされた通知情報を特定する通知情報ナンバーを用いて、通知情報記憶部３２ｂから指定した期間に発生した通知情報を検索する。図１３では、通知情報ナンバーとして、例えば、「１５１１２」が選択されている。そして、詳細表示制御部３１ｄは、通知情報記憶部３２ｂから検索した通知情報の件数、発生日を一覧表示したリストを集計情報表示領域７２に出力する。これにより、ユーザーは、指定した通知情報が、いつからいつまでの間に、何件発生したのか、また、通知情報の発生時間を直ちに知ることができる。
【００８５】
以上説明した第３の実施の形態例に係る計算機３０Ｂでは、通知情報一覧表示領域４１に一覧表示された通知情報をユーザーがダブルクリック等による操作だけで、通知情報の詳細情報と、通知情報ナンバーの集計結果が合わせて表示される。このため、ユーザーは、簡単な操作だけで、生化学分析装置１の状態、すなわち通知情報の発生状況を素早く確認することができる。また、従来のように通知情報をテキストファイルに出力して集計するような手間がかからないため、通知情報の集計が完了するまでの作業時間及びユーザーの労力が軽減される。また、通知情報をテキストファイルに出力して集計するための表計算ソフトやテキストエディターを用意する必要がない。
【００８６】
なお、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細かつ具体的に説明したものであり、必ずしも説明した全ての構成を備えるものに限定されない。また、ここで説明した実施の形態例の構成の一部を他の実施の形態例の構成に置き換えることは可能であり、さらにはある実施の形態例の構成に他の実施の形態例の構成を加えることも可能である。また、各実施の形態例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８７】
１…生化学分析装置、３０…計算機、３１…制御部、３１ａ…表示グループ選択部、３１ｂ…一覧表示制御部、３２…記憶部、３２ａ…通知情報リスト記憶部、３２ｂ…通知情報記憶部、３３…表示部、４０…通知情報一覧表示画面、４１…通知情報一覧表示領域、４２…エラー種別選択領域
【図１】
2017125721.tif 000003
【図２】
2017125721.tif 000004
【図３】
2017125721.tif 000005
【図４】
2017125721.tif 000006
【図５】
2017125721.tif 000007
【図６】
2017125721.tif 000008
【図７】
2017125721.tif 000009
【図８】
2017125721.tif 000010
【図９】
2017125721.tif 000011
【図１０】
2017125721.tif 000012
【図１１】
2017125721.tif 000013
【図１２】
2017125721.tif 000014
【図１３】
2017125721.tif 000015
【図１４】
2017125721.tif 000016